(57)【要約】【課題】揺動運動中における骨盤底筋の筋活動を意識させることが可能な揺動型運動装置を提供する。【解決手段】使用者の骨盤底筋Ｋの筋活動を計測する骨盤底筋センサ２１と、この骨盤底筋センサ２１による計測情報を使用者に報知する表示部１５ａとが備えられる。骨盤底筋センサ２１は、使用者の膣に挿入して使用され、座部１３の上面１３ａには、座部１３の揺動運動中における骨盤底筋センサ２１との干渉をさけるべく、座部１３の幅方向内側部位が凹形状をなす溝部２０が形成される。【選択図】図１
2011130815.tif 000002
【特許請求の範囲】
【請求項１】
使用者が着座可能な座部と、該座部を揺動運動させる運動機構とを備えた揺動型運動装置にであって、
前記使用者の骨盤底筋の筋活動を計測する骨盤底筋計測手段と、該骨盤底筋計測手段による計測情報を使用者に報知する報知手段とを備えたことを特徴とする揺動型運動装置。
【請求項２】
請求項１に記載の揺動型運動装置において、
前記報知手段は、前記骨盤底筋計測手段による前記計測情報が所定の閾値以上であれば報知することを特徴とする揺動型運動装置。
【請求項３】
請求項１に記載の揺動型運動装置において、
前記報知手段は、前記座部の揺動運動時に前記計測情報を常時報知することを特徴とする揺動型運動装置。
【請求項４】
請求項１〜３のいずれか一項に記載の揺動型運動装置において、
前記骨盤底筋計測手段による前記計測情報を履歴情報として複数記憶可能な計測情報記憶手段を備え、
前記報知手段は前記計測情報記憶手段により記憶された前記履歴情報を報知可能に構成されたことを特徴とする揺動型運動装置。
【請求項５】
請求項４に記載の揺動型運動装置において、
前記報知手段は、前記運動機構による前記座部の揺動運動終了後に該揺動運動の計測情報及び前記履歴情報を報知することを特徴とする揺動型運動装置。
【請求項６】
請求項４又は５に記載の揺動型運動装置において、
前記使用者の排尿に関する情報を入力可能な入力手段と、前記入力手段により入力された入力情報を記憶する入力情報記憶手段とを備え、
前記報知手段は、前記計測情報記憶手段の前記履歴情報と前記入力情報記憶手段の前記入力情報とを対応させて報知することを特徴とする揺動型運動装置。
【請求項７】
請求項１〜６のいずれか一項に記載の揺動型運動装置において、
前記座部の揺動運動の際に前記骨盤底筋以外に作用する筋肉の筋活動状態及び前記使用者の姿勢状態の少なくとも一方の状態情報を検出する使用者状態検出手段を少なくとも１つ備え、
前記報知手段は、前記骨盤底筋計測手段による計測情報と前記使用者状態検出手段により検出された使用者の状態情報とを同時に表示して報知を行うことを特徴とする揺動型運動装置。
【請求項８】
請求項１〜７のいずれか一項に記載の揺動型運動装置において、
前記骨盤底筋計測手段は、前記使用者の膣若しくは肛門内に挿入する挿入型センサを用いるものであり、
前記座部の上面は、前記挿入型センサとの干渉抑制するために凹形状をなすよう形成されたことを特徴とする揺動型運動装置。
【請求項９】
請求項１〜８のいずれか一項に記載の揺動型運動装置において、
前記骨盤底筋計測手段は、前記使用者の膣若しくは肛門内に挿入して使用されるとともに骨盤底筋の筋活動を計測する計測本体部と、該計測本体部から出力される前記計測情報を無線により送信する送信部と、該送信部から送信される前記計測情報を受信する受信部とを有し、
前記報知手段は、前記受信部にて得られた前記計測情報を使用者に報知することを特徴とする揺動型運動装置。
【発明の詳細な説明】
【技術分野】
【０００１】
本発明は、座部を揺動運動させることで使用者に運動負荷を付与する揺動型運動装置に関するものである。
【背景技術】
【０００２】
揺動型運動装置においては、例えば特許文献１にて示されるように、座部が所定パターンで揺動運動し、その座部に着座した使用者に乗馬を模した運動負荷等が付与されるように構成されるものがある。また、この揺動型運動装置では、座部の左右両側に膨縮動作可能なエアバッグが設けられており、このエアバッグを前記揺動運動と連動させて膨縮動作させることで、使用者の大腿部（内腿）を中心とした脚部の鍛錬や股関節の柔軟性向上のための運動を行うことができるようになっている。
【先行技術文献】
【特許文献】
【０００３】
【特許文献１】特開２００４−３４４６８３号公報
【発明の概要】
【発明が解決しようとする課題】
【０００４】
ところで、高齢者や出産後の女性においては尿失禁等の症状が多く見られ、骨盤の中の膀胱や子宮を支えている骨盤底筋を鍛えることが尿失禁の症状を緩和できることが知られている。しかしながら、上記の揺動型運動装置では骨盤底筋の筋活動を使用者に対して意識させることが難しく骨盤底筋を効果的に鍛えることが難しい。このため揺動運動中において使用者に対して骨盤底筋の筋活動を意識させることが可能な揺動型運動装置の開発が望まれている。
【０００５】
本発明は、上記課題を解決するためになされたものであって、その目的は、揺動運動中における骨盤底筋の筋活動を意識させることが可能な揺動型運動装置を提供することにある。
【課題を解決するための手段】
【０００６】
上記課題を解決するために、請求項１に記載の発明は、使用者が着座可能な座部と、該座部を揺動運動させる運動機構とを備えた揺動型運動装置にであって、前記使用者の骨盤底筋の筋活動を計測する骨盤底筋計測手段と、該骨盤底筋計測手段による計測情報を使用者に報知する報知手段とを備えたことをその要旨とする。
【０００７】
この発明では、使用者の骨盤底筋の筋活動を計測する骨盤底筋計測手段と、この骨盤底筋計測手段による計測情報を使用者に報知する報知手段とが備えられる。このような構成とすることで、骨盤底筋の筋活動の計測情報を使用者に対して報知することができるため、骨盤底筋の筋活動を意識させることができる。これにより、骨盤底筋を効果的に鍛えることが可能となる。また、筋活動の計測情報を報知することで、使用者の運動に対するモチベーションの維持や向上に寄与することができる。
【０００８】
請求項２に記載の発明は、請求項１に記載の揺動型運動装置において、前記報知手段は、前記骨盤底筋計測手段による前記計測情報が所定の閾値以上であれば報知することをその要旨とする。
【０００９】
この発明では、骨盤底筋計測手段による計測情報が所定の閾値以上であれば報知手段により使用者に対して報知される。このような構成とすることで、骨盤底筋の筋活動が高い時に報知することが可能となるため、使用者に対して骨盤底筋の筋活動を意識するタイミングを知らせて効果的な骨盤底筋の鍛錬を行うことができ、尿失禁の症状の緩和させることが可能となる。
【００１０】
請求項３に記載の発明は、請求項１に記載の揺動型運動装置において、前記報知手段は、前記座部の揺動運動時に前記計測情報を常時報知することをその要旨とする。
この発明では、座部の揺動運動時において骨盤底筋計測手段による計測情報が報知手段により常時報知される。このような構成とすることで、使用者に対してリアルタイムに骨盤底筋の筋活動の状態を報知することができる。このため、使用者のモチベーションの維持や向上に寄与することができる。
【００１１】
請求項４に記載の発明は、請求項１〜３のいずれか一項に記載の揺動型運動装置において、前記骨盤底筋計測手段による前記計測情報を履歴情報として複数記憶可能な計測情報記憶手段を備え、前記報知手段は前記計測情報記憶手段により記憶された前記履歴情報を報知可能に構成されたことをその要旨とする。
【００１２】
この発明では、骨盤底筋計測手段による計測情報を履歴情報として複数記憶可能な計測情報記憶手段が備えられ、計測情報記憶手段により記憶された履歴情報が報知手段により報知可能に構成される。このように、履歴情報を報知することで、現時点までどの程度骨盤底筋の訓練を行ったか使用者に報知することができ、使用者のモチベーションの維持や向上に寄与することができる。
【００１３】
請求項５に記載の発明は、請求項４に記載の揺動型運動装置において、前記報知手段は、前記運動機構による前記座部の揺動運動終了後に該揺動運動の計測情報及び前記履歴情報を報知することをその要旨とする。
【００１４】
この発明では、揺動運動終了後に、この揺動運動の計測情報と、計測情報記憶手段に記憶された履歴情報とが報知手段により報知される。このように新しい計測情報と、履歴情報つまり過去の計測情報とを報知することで、使用者に対してこれまでの運動の成果を知らせることができ、使用者のモチベーションの維持や向上に寄与できる。また、運動の内容と尿失禁との関連性を知ることができる。
【００１５】
請求項６に記載の発明は、請求項４又は５に記載の揺動型運動装置において、前記使用者の排尿に関する情報を入力可能な入力手段と、前記入力手段により入力された入力情報を記憶する入力情報記憶手段とを備え、前記報知手段は、前記計測情報記憶手段の前記履歴情報と前記入力情報記憶手段の前記入力情報とを対応させて報知することをその要旨とする。
【００１６】
この発明では、使用者の尿失禁回数などの排尿に関する情報を入力可能な入力手段と、入力手段により入力された入力情報を記憶する入力情報記憶手段とが備えられる。計測情報記憶手段の履歴情報と入力情報記憶手段に記憶された入力情報とが対応されて報知手段により報知される。このように、排尿に関する情報と履歴情報とを例えば日時に基づいて対応させることで、使用者は運動による尿失禁の緩和を容易に知ることができ、モチベーションの維持や向上に寄与することができる。
【００１７】
請求項７に記載の発明は、請求項１〜６のいずれか一項に記載の揺動型運動装置において、前記座部の揺動運動の際に前記骨盤底筋以外に作用する筋肉の筋活動状態及び前記使用者の姿勢状態の少なくとも一方の状態情報を検出する使用者状態検出手段を少なくとも１つ備え、前記報知手段は、前記骨盤底筋計測手段による計測情報と前記使用者状態検出手段により検出された使用者の状態情報とを同時に表示して報知を行うことをその要旨とする。
【００１８】
この発明では、座部の揺動運動の際に骨盤底筋以外に作用する筋肉の筋活動状態及び使用者の姿勢状体の少なくとも一方の状態情報を検出する使用者状態検出手段が少なくとも１つ備えられる。骨盤底筋計測手段による計測情報と使用者状態検出手段による使用者の状態情報とが報知手段により同時に表示されることで使用者に対して報知が行われる。このような構成とすることで、使用者に対して骨盤底筋を含む２つ以上の筋肉に対して意識させることや、骨盤底筋と運動姿勢を意識させることができ、より効果的に筋力アップを図ることが可能となる。
【００１９】
請求項８に記載の発明は、請求項１〜７のいずれか一項に記載の揺動型運動装置において、前記骨盤底筋計測手段は、前記使用者の膣若しくは肛門内に挿入して使用されるものであり、前記座部の上面は、その幅方向内側部位が凹形状をなすよう形成されたことをその要旨とする。
【００２０】
この発明では、骨盤底筋計測手段は、使用者の膣若しくは肛門内に挿入して使用され、座部の上面は、その幅方向内側部位が凹形状をなすよう形成される。このような構成とすることで、膣や肛門内に挿入される骨盤底筋計測手段が座部の揺動運動時において座部と接触することを抑えることができ、快適な運動を行いつつ骨盤底筋の筋活動を計測することが可能となる。
【００２１】
請求項９に記載の発明は、前記骨盤底筋計測手段は、前記使用者の膣若しくは肛門内に挿入して使用されるとともに骨盤底筋の筋活動を計測する計測本体部と、該計測本体部から出力される前記計測情報を無線により送信する送信部と、該送信部から送信される前記計測情報を受信する受信部とを有し、前記報知手段は、前記受信部にて得られた前記計測情報を使用者に報知することをその要旨とする。
【００２２】
この発明では、骨盤底筋計測手段は、使用者の膣若しくは肛門内に挿入して使用されるとともに骨盤底筋の筋活動を計測する計測本体部と、この計測本体部から出力される計測情報を無線により送信する送信部と、この送信部から送信される計測情報を受信する受信部とが備えられる。受信部にて得られた計測情報が報知手段により使用者に報知される。ここで、使用者の膣若しくは肛門内に使用される計測本体部からの計測情報の信号を有線にて送信する場合と比較すると、本構成のように無線により信号を送信することで、着座した使用者の身体と座部との間にリード線等の部材を省略することができるため、リード線が使用者の身体に接触することで違和感を与えるといったことを抑えて快適な運動を行うことが可能となる。
【発明の効果】
【００２３】
本発明によれば、揺動運動中における骨盤底筋の筋活動を意識させることが可能な揺動型運動装置を提供することができる。
【図面の簡単な説明】
【００２４】
【図１】（ａ）は本実施形態における揺動型運動装置の斜視図であり、（ｂ）は揺動型運動装置の側面図であり、（ｃ）は座部の断面図である。
【図２】骨盤底筋センサの使用例について説明するための説明図である。
【図３】揺動型運動装置の電気的構成を説明するためのブロック図である。
【図４】操作部について説明するための上面図である。
【図５】別例における骨盤底筋センサについて説明するためのブロック図である。
【図６】（ａ）（ｂ）は、別例における筋活動量と失禁回数について説明するための説明図である。
【図７】別例における操作部について説明するための上面図である。
【図８】別例における圧力センサについて説明するための説明図である。
【図９】各種センサにおける一動作例について説明するための説明図である。
【図１０】別例における座部について説明するための説明図である。
【図１１】別例における座部について説明するための説明図である。
【発明を実施するための形態】
【００２５】
以下、本発明を具体化した一実施形態を図面に従って説明する。
図１（ａ）（ｂ）は、本実施形態の揺動型運動装置の概略構成を示し、図１（ｃ）は座部の断面を示す。揺動型運動装置１０は、床面に設置される基台１１に揺動駆動装置１２を介して座部１３が揺動可能に組み付けられ、モータを駆動源とした揺動駆動装置１２の駆動に基づいて、座部１３が前後方向及び左右方向の揺動を組み合わせた例えば乗馬を模した揺動パターンを含む各種の揺動パターンにて揺動するものである。
【００２６】
揺動型運動装置１０には、座部１３に跨って着座した使用者が把持する手綱１４と使用者が操作する操作部１５とが座部１３の上面１３ａ前部に設けられている。操作部１５には揺動型運動装置１０の状態表示や後述する骨盤底筋センサ２１等の各センサからの運動レベルが表示される表示部１５ａと、揺動運動等の一連の動作を開始及び停止させるスタート・ストップスイッチ等のスイッチ部１５ｂが設けられている。そして、使用者によるスイッチ部１５ｂの押圧操作により、操作部１５と電気的に接続される制御部２３（図３参照）に対して各種制御信号が操作部１５から出力されるようになっている。
【００２７】
図１（ａ）〜（ｃ）に示すように座部１３の上面１３ａには、その幅方向（左右方向）内側部位が前後方向にかけて下方向に凹形状を成す溝部２０が形成されている。また座部１３の溝部２０には、使用者の骨盤底筋Ｋの筋活動（筋電位）を計測する計測手段としての骨盤底筋センサ２１が設けられている。尚、骨盤底筋Ｋとは、図２に示すように尾骨Ｂ１と恥骨Ｂ２との間においてハンモック状をなし、使用者の膀胱Ｚ等を支える筋である。
【００２８】
図２示すように、骨盤底筋センサ２１は、リード線２２を介して座部１３及び基台１１内部に収容される制御部２３（図３参照）と電気的に接続され、使用者の膣Ｘに挿入して使用されるものである。尚、膣Ｘに限らず肛門Ｙ等に挿入しても略同様に骨盤底筋Ｋの筋活動を測定することが可能である。そして、前記骨盤底筋センサ２１にて計測された計測情報は前記制御部２３に出力され、この制御部２３と電気的に接続されるメモリ２４にその計測情報が記憶されるようになっている。そして、揺動駆動装置１２による座部１３の揺動運動終了時に、制御部２３は、その揺動運動の際の骨盤底筋Ｋの筋活動情報（計測情報）をメモリ２４から参照して、操作部１５の表示部１５ａに表示するようになっている。因みに、本実施形態では図４に示すように、操作部１５の表示部１５ａに骨盤底筋の筋活動情報が時間経過に伴って変化する線グラフにより可視化されるようになっている。このように、骨盤底筋Ｋの筋活動の情報（計測情報）を使用者に対して報知することができるため、使用者に対して骨盤底筋Ｋの筋活動を意識させることができる。これにより、骨盤底筋Ｋを効果的に鍛えることが可能となる。また、筋活動の情報（計測情報）を報知することで、例えば、使用者の運動に対するモチベーションの維持や向上に寄与することができる。
【００２９】
次に、本実施形態の特徴的な作用効果を記載する。
（１）使用者の骨盤底筋Ｋの筋活動を計測する骨盤底筋センサ２１と、この骨盤底筋センサ２１による計測情報を使用者に報知する表示部１５ａとが備えられる。このような構成とすることで、骨盤底筋Ｋの筋活動の情報（計測情報）を使用者に対して報知することができるため、骨盤底筋Ｋの筋活動を意識させることができる。これにより、骨盤底筋Ｋを効果的に鍛えることが可能となる。また、筋活動の情報（計測情報）を報知することで、使用者の運動に対するモチベーションの維持や向上に寄与することができる。
【００３０】
（２）骨盤底筋センサ２１は、使用者の膣Ｘに挿入して使用され、座部１３の上面１３ａには、その幅方向内側部位が凹形状をなす溝部２０が形成される。このような構成とすることで、膣Ｘ内に挿入される骨盤底筋センサ２１が座部１３の揺動運動時において座部１３と接触（干渉）することを抑えることができ、快適な運動を行いつつ骨盤底筋Ｋの筋活動を計測することが可能となる。
【００３１】
尚、本発明の実施形態は、以下のように変更してもよい。
・上記実施形態では、骨盤底筋Ｋの筋活動情報を揺動運動終了時に時間経過に伴って変化する線グラフにて表示するように構成したが、これに限らない。例えば、表示部１５ａにおいて棒グラフ等の他の図形や数値で報知したり、図３に破線で示すようにＬＥＤ３０を用いて点灯・点滅制御にて報知したり、スピーカ３１やブザー３２から音を出力することで報知を行う構成を採用してもよい。尚、骨盤底筋Ｋの筋活動の強弱はＬＥＤ３０による光の強弱、スピーカ３１やブザー３２から出力される音の強弱や音の高さ（周波数の違い）によって報知することで対応可能である。尚、スピーカ３１やブザー３２等を利用して音により使用者に対して骨盤底筋Ｋの筋活動情報を報知することで、表示部１５ａ等を見る必要が無くなり、容易に報知することができる。
【００３２】
・上記実施形態では骨盤底筋Ｋの筋活動情報を揺動運動終了時に報知する構成としたが、常時（リアルタイムで）報知する構成を採用してもよい。このような構成とすることで、使用者に対してリアルタイムに骨盤底筋Ｋの筋活動の状態を報知することができるため、使用者のモチベーションの維持や向上に寄与することができる。
【００３３】
・上記実施形態では、特に言及していないが、例えば閾値を設定し、骨盤底筋センサ２１から得られる計測情報が閾値以上の場合に視覚的な表示や音による報知などを行う構成を採用してもよい。このような構成とすることで、骨盤底筋Ｋの筋活動が高い時（閾値以上）に報知することが可能となるため、使用者に対して骨盤底筋の筋活動を意識するタイミングを知らせて効果的な骨盤底筋の鍛錬を行うことができ、尿失禁の症状の緩和させることが可能となる。尚、閾値は使用者によって変更可能としてもよく、このような構成とすることで使用者個々の体力や筋力に合った運動を行うことができる。
【００３４】
・上記実施形態では、リード線２２を介して、つまり有線にて骨盤底筋センサ２１が制御部２３と電気的に接続される構成としたが、これに限らない。例えば、図５に示すように、センサ本体部２１ａと、送信部２１ｂと、受信部２１ｃとで骨盤底筋センサ２１を構成してもよい。具体的には、使用者の膣Ｘや肛門Ｙに挿入されて骨盤底筋Ｋの筋活動を計測するセンサ本体部２１ａから送信部２１ｂに対して筋活動の情報（計測情報）を出力する。そして、送信部２１ｂから例えば座部１３に設けられる受信部２１ｃに対して無線通信にて前記計測情報を出力し、受信部２１ｃを介して制御部２３に前記計測情報が送信される構成である。このように、無線通信を利用してリード線２２を省略した構成とすることで、使用者の身体と座部１３との間に生じうる違和感の発生を抑えた状態で快適な運動を行うことができる。
【００３５】
・上記実施形態では特に言及していないが、例えば、毎回の運動に伴って計測される計測情報を履歴情報として日にちと対応させてメモリ２４内に記憶させ、表示部１５ａにおいてメモリ２４に記憶された履歴情報の確認を行えるような構成を採用してもよい。更に例えば、図６（ａ）に示すように骨盤底筋センサ２１による計測情報を例えば日毎に積算してその積算した計測情報を例えば揺動運動終了後に表示することで、これまでの骨盤底筋の筋活動量を使用者に報知することができ、使用者のモチベーションの維持や向上に寄与することができる。尚、例えば骨盤底筋センサ２１を使用した運動を実施しない場合には、制御部２３により適宜メモリ２４内の積算した計測情報をリセットする構成を採用してもよい。
【００３６】
・上記実施形態では特に言及していないが、例えば図７に示すように操作部１５に使用者の排尿に関する情報である尿失禁の回数を入力可能な入力スイッチ１５ｃ，１５ｄを設け、この入力スイッチ１５ｃ，１５ｄにて入力される尿失禁の回数をメモリ２４にて記憶するよう構成してもよい。このような構成において、例えば図６（ａ）（ｂ）に示すように骨盤底筋の例えば各日の筋活動量（履歴情報）を表示部１５ａに表示するとともに、各日毎に尿失禁の回数を表示部１５ａに表示することで、骨盤底筋の筋活動量と尿失禁の関連性を知ることができ、使用者に対して運動の効果を容易に報知することができる。
【００３７】
・上記実施形態では特に言及していないが、骨盤底筋センサ２１に加えて例えば図８に示すように揺動運動の際に骨盤底筋以外の筋肉に作用する筋活動状態及び使用者の運動姿勢状態の少なくとも一方を検出する各種センサ４０〜４２を設ける構成を採用してもよい。例えば、座部１３の上面１３ａに圧力センサ４０を前後左右に複数（図８では前後の圧力センサ４０のみ図示）設けることで、使用者による座部１３の圧分布を計測して使用者の体重移動を検出することで使用者の運動姿勢状態を検出する構成を採用してもよい。また、座部１３における使用者の左右の両内股が接する部位に圧力センサ４１を設け、使用者の脚部による挟み込み力を検出する構成を採用してもよい。また、座部１３の左右両側に吊り下げ配置される鐙４３の足掛け部４４の上面４４ａに圧力センサ４２を設け、使用者の足部による踏み込み力を検出する構成を採用してもよい。また、上記圧力センサ４０〜４２以外のセンサを用いた構成や、上記圧力センサ４０〜４２の内の２つ以上を用いた構成を採用してもよい。
【００３８】
また、上記各種センサ４０〜４２の内の例えば鐙４３の踏み込み力を検出する圧力センサ４２と、座部１３の圧分布を検出する圧力センサ４０と、前記骨盤底筋センサ２１とを用い、図９に示すように各種センサ２１，４０，４２による各計測値を同時に表示部１５ａに表示するように構成してもよい。このような構成とすることで、例えばどの筋肉に作用しているのか報知することができ、その際に例えば使用者が知ることで筋肉に対して意識が届き、より好適な筋力アップ等の運動効果を作用させることが可能となる。
【００３９】
・上記実施形態では、座部１３の上面１３ａに溝部２０を形成したが、溝部２０を省略した構成を採用してもよい。
・上記実施形態では特に言及していないが、骨盤底筋の筋活動を計測しない場合には、例えば図１０又は図１１に示すように座部１３の上面１３ａ全体を覆うクッションカバー部材５０，５１を設け、溝部２０による揺動運動時の違和感を抑える構成を採用してもよい。また、図１０及び図１１に示すようにクッションカバー部材５０，５１の下面５０ａ，５１ａに前記座部１３の溝部２０と嵌合される凸部５０ｂ，５１ｂを設けることで、座部１３の揺動運動においてクッションカバー部材５０，５１のズレを抑えることができる。また、図１１に示すようにクッションカバー部材５１の左右両端から下方に突出する突出部５１ｃにて座部１３側面１３ｂを覆うことで、クッションカバー部材５１のズレをより抑えることが可能となる。
【符号の説明】
【００４０】
１０…揺動型運動装置、１２…揺動駆動装置（運動機構）、１３…座部、１３ａ…上面、１５ａ…表示部（報知手段）、１５ｃ，１５ｄ…入力スイッチ（入力手段）、２１…骨盤底筋センサ（骨盤底筋計測手段）、２１ａ…センサ本体部（計測本体部）、２１ｂ…送信部、２１ｃ…受信部、２４…メモリ（計測情報記憶手段及び入力情報記憶手段）、３０…ＬＥＤ（報知手段）、３１…スピーカ（報知手段）、３２…ブザー（報知手段）、４０〜４２…圧力センサ（使用者状態検出手段）、Ｋ…骨盤底筋、Ｘ…膣、Ｙ…肛門。
【図１】
2011130815.tif 000003
【図２】
2011130815.tif 000004
【図３】
2011130815.tif 000005
【図４】
2011130815.tif 000006
【図５】
2011130815.tif 000007
【図６】
2011130815.tif 000008
【図７】
2011130815.tif 000009
【図８】
2011130815.tif 000010
【図９】
2011130815.tif 000011
【図１０】
2011130815.tif 000012
【図１１】
2011130815.tif 000013